(57)【要約】【課題】  更生トラフに貫通孔を設けず、従って水漏れの恐れがなく、施工時にトラフが浮くことを防止する開水路更生工法を提供する。【解決手段】  開水路の内周面に設けられる更生トラフの外側面に更生トラフの長さ方向に沿って爪付き掛け具を設け、開水路の内周面に上記掛け具の爪を受ける受け具を設け、更生トラフを開水路に沿って軸方向に移動して、掛け具の爪を受け具に掛けて更生トラフを開水路内周面に掛止し、更生トラフと開水路内周面との間に未硬化の液状モルタルを打設してこれを硬化させる。【選択図】  図１
2005299198.tif 000002
【特許請求の範囲】
【請求項１】
開水路の内周面に設けられる更生トラフの外側面に更生トラフの長さ方向に沿って爪付き掛け具を設け、開水路の内周面に上記掛け具の爪を受ける受け具を設け、更生トラフを開水路に沿って軸方向に移動して、掛け具の爪を受け具に掛けて更生トラフを開水路内周面に掛止し、更生トラフと開水路内周面との間に未硬化の液状モルタルを打設してこれを硬化させることを特徴とする開水路更生工法。
【発明の詳細な説明】
【技術分野】
【０００１】
この発明は、農業用水、下水道などの老朽化した既設開水路の内周面を補修する時の、更生トラフの浮上を防止する、開水路更生工法に関する。
【背景技術】
【０００２】
従来、農業用水、下水道などの既設水路の内面の補修方法としては、その内面の既設コンクリートの不良部分を除去し、その除去部分に新たにコンクリートを打ち直すという、いわゆるコンクリート打ち替え工法が一般的である。この工法は、既設コンクリートの不良部分の削り、搬出、新コンクリートの打ち込みといった作業があって、工事期間が長くなる。
【０００３】
このため、例えば、既設水路の内周面に固定部材をアンカーボルトにより固定し、その固定部材を介してＦＲＰ（繊維強化合成樹脂）板を水路内周面全面に貼設して更生トラフとした後、その再生トラフと水路内周面の間にセメントミルク等を打設して、水路内周面にＦＲＰ板をライニングする工法が知られている（例えば、特許文献１参照。）。
【０００４】
更生トラフにはセメントミルク等が打設されたときに受ける浮力が掛かるが、更生トラフはアンカーボルトで水路内周面に固定されているので、更生トラフが浮上することはない。しかしながら大型のトラフでは受ける浮力が大きくなり、固定部材を設ける個所を多くしたり、トラフの厚さを大きくしたりする必要が出てくる。
【特許文献１】特公平６−１９１３２号公報  図１〜図８
【発明の開示】
【発明が解決しようとする課題】
【０００５】
しかしながら、上記特許文献１の工法では、更生トラフは、更生トラフの側面又は底面を貫通して、ボルト等で、既設水路の内周面に固定された固定部材に固定されているので、更生トラフにはボルトが挿通される貫通孔が開けられることになり、水漏れが起こってしまう恐れがあり、止水処置等の余計な作業が増える恐れがあるという問題点がある。これは更生トラフが大型になればなる程顕著に現れる現象である。
【０００６】
本発明は、更生トラフに貫通孔を設けず、従って水漏れの恐れがなく、施工時にトラフが浮くことを防止する開水路更生工法を提供する目的でなされたものである。
【課題を解決するための手段】
【０００７】
請求項１記載の開水路更生工法（発明１）は、開水路の内周面に設けられる更生トラフの外側面に更生トラフの長さ方向に沿って爪付き掛け具を設け、開水路の内周面に上記掛け具の爪を受ける受け具を設け、更生トラフを開水路に沿って軸方向に移動して、掛け具の爪を受け具に掛けて更生トラフを開水路内周面に掛止し、更生トラフと開水路内周面との間に未硬化の液状モルタルを打設してこれを硬化させることを特徴とする。
【０００８】
本発明が適用される開水路は、コンクリートやその他の材料で構成され、水流れ面が老朽化した開水路である。更生トラフの材料は特に限定されず、一般にライニング構成に用いられるものであれば良い。例えば、合成樹脂板、繊維強化合成樹脂（ＦＲＰ）板、レジンコンクリート（ＦＲＰＭ）板、プレキャストコンクリート板、ステンレススチール板、防食鉄板、防食アルミニウム板、木板、竹等の板を組み合わせた更生トラフが挙げられる。
【０００９】
この更生トラフの外面（老朽化した開水路の内周面に対面する側）に、爪付き掛け具が固定される。掛け具は、鉄、ステンレススチール、アルミニウム等金属の棒又は細長い板等からなる。爪錠掛け具は、その一端部を、更生トラフの外面に固定され、他端は更生トラフの長さ方向にその外面から離れて自由端とされている。
【００１０】
爪付き掛け具は、更生トラフに固定される根本部と、受け具（後述）に掛かる爪部とからなり、根本部と爪部との間には段差が設けられている。掛け具を更生トラフの外面に固定する方法は、根本部をＦＲＰハンドレイアップ法で更生トラフ外面に固定する方法、更生トラフに木ねじ又はボルト等で固定しねじ部を防水材でコーキング又はＦＲＰハンドレイアップして防水する方法などが挙げられ、爪部の方向が更生トラフの長さ方向となるようにされる。
【００１１】
爪の形状は、単純な板状とされていれば良いが、掛止後（後述）掛止部が緩まない或いは外れないように、受け具が入る個所が広い板ばね形状とされていても良い。
【００１２】
掛け具は、一つの更生トラフに対し、その両側の縦壁外面に少なくとも各一個づつ設けられ、必要があれが底面外面にも設けられる。設けられる個数は、更生トラフの大きさによって増やせば良いが、全ての掛け具の爪部は、同じ方向に向いて設けられなければならない。
【００１３】
受け具は、既存開水路内周面に、上記全ての掛け具に対応する位置にそれぞれ固定される。受け具は上記掛け具の爪部を受けて、これを掛止する。従って、その材質は強度と耐食性に優れたものであれば特に限定されず、例えば一例として、鉄又はステンレススチール、アルミニウムなどの金属製部材でＵ字形状の掛け部を作り、このＵ字形状の両脚部先端を直角に外向きに広げて鍔部とし、この鍔部をアンカーボルト等で既存開水路の内周壁に固定する方法、既存開水路の内周面に２個のアンカーボルトを並べて設け、アンカーボルトをスリーブに通し、スリーブの上端に受け部となる金属棒又は細長い板を渡して固定する方法等が挙げられる。
【００１４】
なお、受け部は、掛け具の爪部を受けて掛止効果が発揮できれば良いのであるから、必ずしも金属である必要はなく、皮、合成樹脂材、繊維強化合成樹脂材、合成樹脂繊維製の織布、不織布などであっても良い。
【００１５】
受け部の既存開水路内周面からの高さは、更生トラフの外面と、既存開水路内周面との隙間が、打設する裏込め材の寸法となるように決められる。従って、縦面側と底面側とのそれぞれの寸法は、、状況に応じて適宜変更されて異なっていても良い。
【００１６】
更生トラフを既存開水路に固定する手順は、単位長さの更生トラフを組み立て、その外面に必要な掛け具を固定する。既存開水路内周面の上記掛け具に対応する位置に、受け具を固定する。しかる後に、更生トラフを既存開水路内に仮置きし、水路内を長さ方向にずらせながら掛け具の爪を受け具の受け部に掛着して掛止する。掛着されて更生トラフが仮配置されたら、更生トラフの外面と既存開水路内周面との間に未硬化の液状モルタル等を打設する。
【００１７】
この時、浮力が掛かり更生トラフは浮上するが、更生トラフは掛け具と受け具によりその位置が固定されるので、未硬化の液状モルタルによる浮力が掛かった後は、更生トラフは所定の位置に止まり、動かない。縦面側の隙間も同様であるが、必要に応じて隙間の上端にスペーサーを挿入して間隔を微調整しても良い。
【発明の効果】
【００１８】
本発明によると、更生トラフは、既設開水路中に仮置きして長さ方向にすべらせるだけで掛け具と受け具とが掛着され、更生トラフの位置が固定されるので、未硬化の液状モルタルによる浮力が掛かっても、更生トラフは動かない。また、掛け具も受け具も、その固定時に更生トラフに貫通孔を開けないので、水漏れすることはない。
【発明を実施するための最良の形態】
【００１９】
次に、図面を参照して本発明の実施の形態を説明する。図１はＦＲＰ製更生トラフの外面に爪付き掛け具が設けられ、コンクリート製既存開水路に受け具が設けられて、更生トラフが既存開水路内周面に掛止されて更生された状態の一例であり、（ａ）は正面図、（ｂ）は側面図である。図２は更生トラフ外面にＦＲＰハンドレイアップ法で固定された掛け具であり、（ａ）は平面図、（ｂ）は側面図、（ｃ）は爪部の別の一例の側面図である。図３は受け具の一例であり、（ａ）はＵ字形状の受け具がアンカーボルトで既設開水路内周面に固定されたものの側面図、（ｂ）は２個のアンカーボルトの間に金属製受け部を設けたものの側面図、（ｃ）は受け部が柔軟な合成樹脂繊維の織布であるものの側面図である。
【００２０】
ＦＲＰ製更生トラフ１の外面に、鉄板を曲げ加工した爪付き掛け具２が設けられる。本例では更生トラフ１の両縦面の外側に各１個所及び底面外側に１個所設けられている。
【００２１】
掛け具２は根本部２１と爪部２２とからなり、根本部２１が更生トラフ１の外面にハンドレイアップ法にてＦＲＰ３で固定され、爪部２２が、更生トラフ１の長さ方向に沿って設けられている。
【００２２】
図２（ｃ）のように、爪部２２と更生トラフ１外面との隙間を、爪部２２の先端近傍を狭くし受け具５の受け部５２に挿着される個所を広くしておくと、掛け具１と受け具５とを掛着したあと掛着が緩みにくい或いは外れないので、そのようにしても良い。
【００２３】
既存開水路４の内周面には、上記掛け具２に対応する位置に鉄棒を曲げ加工したＵ字形状の受け具５が固定されている。受け具５の脚部５１には平板が溶接固定されアンカーボルトでで既設開水路４内周面に固定され、受け部５２が掛け具２の爪部２２を受ける方向に設けられている。
【００２４】
図３に示されるように、受け部５は、Ｕ字形状の受け具がアンカーボルトで既設開水路内周面に固定されたものに限らず、２個のアンカーボルトの間に金属製受け部を設けたものであっても、受け部が柔軟な合成樹脂繊維の織布等であっても良い。
【００２５】
爪部２２更生トラフ１が長さ方向にずらされて、掛け具２の爪部２２が受け部５の受け部５２に掛着して掛止され、更生トラフ２と既設開水路４との隙間に裏込め材（未硬化の液状モルタル）が打設されている。更生トラフ１は、打設されたモルタルにより浮力を受け浮上し、掛け具と受け具の掛止によって所定の位置で固定され、それ以上浮上しない。
【００２６】
従って、そのままモルタルが硬化したら、老朽化した既設開水路内周面の更生が完了する。
【図面の簡単な説明】
【００２７】
【図１】ＦＲＰ製更生トラフの外面に爪付き掛け具が設けられ、コンクリート製既存開水路に受け具が設けられて、更生トラフが既存開水路内周面に掛止されて更生された状態の一例であり、（ａ）は側面図、（ｂ）は側面図である。
【図２】更生トラフ外面にＦＲＰハンドレイアップ法で固定された掛け具であり、（ａ）は平面図、（ｂ）は側面図、（ｃ）は爪部の別の一例の側面図である。
【図３】受け具の一例であり、（ａ）はＵ字形状の受け具がアンカーボルトで既設開水路内周面に固定されたものの側面図、（ｂ）は２個のアンカーボルトの間に金属製受け部を設けたものの側面図、（ｃ）は受け部が柔軟な合成樹脂繊維の織布であるものの側面図である。
【符号の説明】
【００２８】
１  ＦＲＰ製更生トラフ
２  掛け具
２１  根本部
２２  爪部
３  ハンドレイアップされたＦＲＰ
４  既存開水路
５  受け具
５１  脚部
５２  受け部
６  裏込め材（モルタル）
【図１】
2005299198.tif 000003
【図２】
2005299198.tif 000004
【図３】
2005299198.tif 000005